(57)【要約】【課題】  装置を大型化させることなく、複数の搬送路にあるシートを積重できるようにする。【解決手段】  第１搬送路にシートＰ１が搬送され、第２搬送路にシートＰ２が搬送されると、制御部３２は、乗り上げ部材１８Ａ〜１８Ｃとストッパ１９Ａ〜１９Ｃを上方に移動させる。次に制御部３２は、移動ベルト１６Ｂ，１６Ｃを周回移動させることにより、移動部材１７Ｂを溝Ｂの方向に移動させ、移動部材１７Ｃを溝Ｃの方向に移動させる。これにより、移動部材１７Ｂ，１７Ｃは、シートＰ１は乗り上げ部材１８Ｂ，１８Ｃの方向へ移動させられる。シートＰ１は、各乗り上げ部材の傾斜部１８０に沿って移動し、乗り上げ部材１８Ｂ，１８Ｃを乗り越えてシートＰ２の上に被さる。シートＰ１が乗り上げ部材１８Ｂ，１８Ｃを乗り越えた後、移動部材１７Ｂ，１７Ｃを部材１１Ａに接触する位置まで移動させると、シートＰ１はシートＰ１の上に積み重ねられる。【選択図】            図６
2007070031.tif 000002
【特許請求の範囲】
【請求項１】
第２搬送路に並行する第１搬送路上の第１シートを、前記第２搬送路上で前記第１シートに対して並行な位置にある第２シートの方向へ移動させるシート移動手段と、
前記第１搬送路と前記第２搬送路との間にあって、前記第２搬送路側から前記第１搬送路側へ傾斜した傾斜面を有し、前記傾斜面の前記第２搬送路側の端部が前記第２搬送路にある第２シートの表面より高い位置にあり、前記傾斜面の前記第１搬送路側の端部が前記第１搬送路にある第１シートの下面より低い位置にある積重用部材と
を有するシート積重装置。
【請求項２】
前記傾斜面の前記第２搬送路側の端部が弧状に面取りされていることを特徴とする請求項１に記載のシート積重装置。
【請求項３】
前記積重用部材を上下に移動させる駆動手段を有することを特徴とする請求項１に記載のシート積重装置。
【請求項４】
前記シート移動手段により移動させられたシートの位置に応じて前記積重用部材を上下に移動させることを特徴とする請求項３に記載のシート積重装置。
【請求項５】
請求項１乃至４のいずれかに記載のシート積重装置を備えた画像形成装置。
【発明の詳細な説明】
【技術分野】
【０００１】
本発明は、切断されたシートを積み重ねる技術に関する。
【背景技術】
【０００２】
写真店や現像所においては、ネガフィルムに記録された画像を印画紙に露光し、この露光された印画紙を現像して排出する自動現像装置が使用されている。これらの自動現像装置においては、例えば、特許文献１，２に開示されているように、フィルムから複数の写真を現像し、現像された複数の写真を、例えばフィルム単位毎に積重することが行われている。
特許文献１に開示されている装置は、露光された印画紙を３列の搬送路に振り分け、３列並列で現像を行う。この３列の搬送路には、搬送路毎に写真の移動を停止させるゲート手段が設けられており、現像処理が終了した印画紙は、一旦、各搬送路にあるゲート手段によって移動を阻止される。そして、複数の搬送路にある印画紙がゲート手段によって一列に揃った時、搬送路にあるゲート手段が順次制御される。これにより、現像処理が終了した印画紙は搬送路に直交する方向に沿って設けられた横送りコンベア上に露光順に落下し、印画紙受けに順番に搬送されて積重される。
また、特許文献２に開示されている装置も、露光された印画紙を３列の搬送路に振り分けて現像を行う。この装置においては、印画紙は、露光順に第１搬送路、第２搬送路、第３搬送路へと時間を空けて並べられる。このように時間を空けて並べられるため、現像処理が終了した印画紙は、搬送路に直交する方向に沿って設けられた無端ベルト上に露光順に落下し、無端ベルトによってトレイに順番に搬送されて積重される。
【特許文献１】特公昭６０−２３３４３号公報
【特許文献１】特開平１１−３４９２０１号公報
【発明の開示】
【発明が解決しようとする課題】
【０００３】
さて、特許文献１，２に開示された装置は、いずれも印画紙を複数の搬送路に振り分け、振り分けられた印画紙を、搬送路に直交する方向に沿って設けられたベルト上に順番に落下させ、ベルト上に落下した印画紙をトレイに順次積重させている。このような構成では、複数の搬送路に直交する方向、および垂直方向に印画紙を搬送する機構や印画紙を積重させる機構を設けることとなるため、装置が大型化してしまうという問題があった。
【０００４】
本発明は、上述した背景の下になされたものであり、その目的は、装置を大型化させることなく、複数の搬送路にあるシートを積重できるようにすることにある。
【課題を解決するための手段】
【０００５】
上述した課題を解決するために本発明は、第２搬送路に並行する第１搬送路上の第１シートを、前記第２搬送路上で前記第１シートに対して並行な位置にある第２シートの方向へ移動させるシート移動手段と、前記第１搬送路と前記第２搬送路との間にあって、前記第２搬送路側から前記第１搬送路側へ傾斜した傾斜面を有し、前記傾斜面の前記第２搬送路側の端部が前記第２搬送路にある第２シートの表面より高い位置にあり、前記傾斜面の前記第１搬送路側の端部が前記第１搬送路にある第１シートの下面より低い位置にある積重用部材とを有するシート積重装置を提供する。
【発明の効果】
【０００６】
本発明によれば、装置を大型化させることなく、複数の搬送路にあるシートを積み重ねることができる。
【発明を実施するための最良の形態】
【０００７】
以下、図面を参照して本発明の実施形態について説明する。
［実施形態の構成］
図１は、本発明の実施形態に係る画像形成装置の概略図である。この画像形成装置は、大別すると、シート（記録紙）に画像を形成する画像形成部３０と、画像が形成されたシートを所定の大きさに切断する切断部２０と、切断部２０にて切断されたシートを積重するシート積重部１０とに分かれている。
【０００８】
画像形成部３０の構成は、例えば、電子写真方式によりシートに画像を形成する画像形成装置と同じ構成となっている。この画像形成部３０は、感光体ドラムに形成された静電潜像を、Ｙ（Yellow），Ｍ（Magenta），Ｃ（Cyan），Ｋ（黒）の四色のトナーを備えたロータリ現像機によって現像し、現像によって得られたカラーのトナー像を中間転写ベルトに転写する。そして、中間転写ベルトに転写されたトナー像を用紙トレイから搬送されるシートに転写し、このシートを加熱および加圧してトナー像をシートに定着させた後、画像が形成されたシートを排出口３１から切断部２０へ搬送する。この画像形成部３０においては、画像が形成されるシートに光沢紙を用いることにより、写真と同様の光沢を備えた高画質な画像が出力される。なお、画像形成部３０は、ＣＰＵ、ＲＯＭ、ＲＡＭを備えた制御部３２を具備している。画像形成部３０や切断部２０、およびシート積重部１０の各部はこの制御部３２により制御される。
【０００９】
切断部２０は、画像形成部３０から搬送されたシートを搬送するローラ２３と、搬送されたシートをその搬送方向に沿って切断するスリッタ２１と、シートを搬送方向に直交する方向に切断するレシプロカッタ２２とを備えている。切断部２０においては、画像形成部３０から搬送されたシートは、スリッタ２１によってシートの搬送方向に沿って切断される。そして、スリッタ２１によって切断されたシートは、レシプロカッタ２２によってシートの搬送方向に直交する方向に切断される。具体的には、シートをＬサイズ（縦）に切断した場合には、シートは図２（ａ）に示したように切断されて搬送され、Ｌサイズ（横）に切断した場合には、シートは図２（ｂ）に示したように切断されて搬送される。また、シートをパノラマサイズに切断した場合には、シートは図２（ｃ）に示したように切断されて搬送される。
【００１０】
次にシート積重部１０について説明する。図３は、シート積重部１０を上方から見た概略図であり、図４は、図２のＩ−Ｉ線に沿って矢視した、シート積重部１０の断面の概略図である。また、図５は、図２のII−II線に沿って矢視した、シート積重部１０の断面の概略図である。シート積重部１０は、板状の部材１１Ａ，１１Ｂ，１１Ｃ，１１Ｄを備えており、部材１１Ａ，１１Ｂおよび１１Ｄには、搬送ロール１２Ｂが入る矩形の孔１１０が設けられている。図２（ａ）〜図２（ｃ）に示したように切断されたシートはシートＰ１とシートＰ２の２列で搬送され、これらの部材１１Ａ〜１１Ｄ上を移動する。なお、切断部２０で２列に切断されたシートは、シートＰ１とシートＰ２の２列で搬送されるが、以下の説明においては、シートＰ１が移動する搬送路を第１搬送路と称し、シートＰ２が移動する搬送路を第２搬送路と称する。
【００１１】
搬送ロール１２Ａ，１２Ｂは切断部２０から搬送されたシートを図３中の矢印Ａ方向へ搬送するためのロールであり、この搬送ロール１２Ａ，１２Ｂの表面には、例えば、ゴム硬度が５０度のエチレンプロピレンゴムによる弾性体層が設けられている。
【００１２】
回転軸１３Ａ−１〜１３Ａ−３は、搬送ロール１２Ａを回転自在に支持する軸である。回転軸１３Ａ−１〜１３Ａ−３は、シートの搬送路に直交する方向に沿って、部材１１Ａ〜１１Ｄの上方に設けられており、一つの回転軸は４つの搬送ロール１２Ａを支持している。また、回転軸１３Ｂ−１〜１３Ｂ−３は、搬送ロール１２Ｂを支持する軸である。回転軸１３Ｂ−１〜１３Ｂ−３は、シートの搬送路に直交する方向に沿って、部材１１Ａ〜１１Ｄの下方に設けられており、一つの回転軸は４つの搬送ロール１２Ｂを支持している。回転軸１３Ａ−１と回転軸１３Ｂ−１はシートの搬送路を挟んで対向しており、回転軸１３Ａ−２と回転軸１３Ｂ−２はシートの搬送路を挟んで対向いる。また、回転軸１３Ａ−３と回転軸１３Ｂ−３もシートの搬送路を挟んで対向している。回転軸１３Ａ−１〜１３Ａ−３は、図示せぬ駆動手段により上方と下方に移動可能となっている。各回転軸においては、一つの搬送ロール１２Ａと一つの搬送ロール１２Ｂとが対となるように各搬送ロールが配置されているため、回転軸１３Ａ−１〜１３Ａ−３が下方へ移動すると、回転軸１３Ａ−１〜１３Ａ−３に支持されている搬送ロール１２Ａが、回転軸１３Ｂ−１〜１３Ｂ−３に支持されている搬送ロール１２Ｂに押圧される。回転軸１３Ｂ−１〜１３Ｂ−３は図示せぬモータにより回転させられ、その回転速度は、画像形成部３０が備える制御部３２によって制御される。モータにより回転軸１３Ｂ−１〜１３Ｂ−３が回転させられると、回転軸１３Ｂ−１〜１３Ｂ−３の回転に伴って搬送ロール１２Ｂが回転する。搬送ロール１２Ｂが回転すると、切断部２０から搬送ロール１２Ａと搬送ロール１２Ｂとの間のニップ部に搬送されたシートは、図３中の矢印Ａ方向へ移動する。
【００１３】
回転軸１４Ａ−１〜１４Ａ−３および回転軸１４Ｂ−１〜１４Ｂ−３は、移動ベルト１６Ａから１６Ｃを張架する軸である。回転軸１４Ａ−１は、基台１００上に配置されたモータ１４−１のシャフトによって支持されており、回転軸１４Ａ−２は、基台１００上に配置されたモータ１４−２のシャフトによって支持されている。また、回転軸１４Ａ−３は、基台１００上に配置されたモータ１４−３のシャフトによって支持されている。一方、回転軸１４Ｂ−１は、基台１００上に設けられた支持部材１５−１によって回転自在に支持されており、回転軸１４Ｂ−２は、基台１００上に設けられた支持部材１５−２によって回転自在に支持されている。また、回転軸１４Ｂ−３は、基台１００上に設けられた支持部材１５−３によって回転自在に支持されている。
【００１４】
移動ベルト１６Ａ〜１６Ｃは、ゴム等の素材により形成された無端ベルトである。移動ベルト１６Ａは、部材Ａ−部材Ｂ間の溝Ａの長手方向に沿って回転軸１４Ａ−１と回転軸１４Ｂ−１により張架され、移動ベルト１６Ｂは、部材Ｂ−部材Ｃ間の溝Ｂの長手方向に沿って回転軸１４Ａ−２と回転軸１４Ｂ−２により張架されている。また、移動ベルト１６Ｃは、部材Ｃ−部材Ｄ間の溝Ｃの長手方向に沿って回転軸１４Ａ−３と回転軸１４Ｂ−３により張架されている。また、移動ベルト１６Ａ上には移動部材１７Ａが固定されており、移動ベルト１６Ｂ上には移動部材１７Ｂが固定され、移動ベルト１６Ｃ上には移動部材１７Ｃが固定されている。
【００１５】
移動部材１７Ａ〜１７Ｃは、第１搬送路上にあるシートを第２搬送路へ移動させるための部材である。移動部材１７Ａは、溝Ａから上方に突出するように、溝Ａの下方にある移動ベルト１６Ａに固定されており、移動部材１７Ｂは、溝Ｂから上方に突出するように、溝Ｂの下方にある移動ベルト１６Ｂに固定されている。また、移動部材１７Ｃは、溝Ｃから上方に突出するように、溝Ｃの下方にある移動ベルト１６Ｃに固定されている。なお、各移動部材の溝からの突出量は、２ｍｍ以上とするのが好ましい。各モータ１４−１〜１４−３によって各回転軸１４Ａ−１〜１４Ａ−３が回転させられることにより、各移動ベルト１６Ａ〜１６Ｃは図５中の矢印Ａ方向、または図中の矢印Ｂ方向へ周回移動する。図５中の矢印Ａ方向へ各移動ベルトが回転すると、移動部材１７Ａ〜１７Ｃは、移動ベルトの移動に伴って移動し、第１搬送路にあるシートＰ１を図５中の矢印Ｃ方向へ移動させる。
【００１６】
乗り上げ部材１８Ａ〜１８Ｃは、第１搬送路にあるシートを第２搬送路にあるシート上に積み重ねる際に使用される部材である。乗り上げ１８Ａは、部材１１Ａと部材１１Ｂとの間に配設されており、乗り上げ１８Ｂは、部材１１Ｂと部材１１Ｃとの間に配設されている。また、乗り上げ１８Ｃは、部材１１Ｃと部材１１Ｄとの間に配設されている。乗り上げ部材１８Ａ〜１８Ｃは、図示せぬ駆動手段により上下方向に移動し、各溝の部分から上方に突出したり、各溝の下方に移動したりするようになっている。各乗り上げ部材において、溝の部分から突出する端部は、図５に示したように、第１搬送路側に傾斜した傾斜部１８０を有している。なお、各乗り上げ部材の端部は、ＰＯＭ（ポリオキシメチレン）等の部材で形成するようにしてもよい。また、図５においては、乗り上げ部材の上方向の先端部は円弧状になっているが、乗り上げ部材の上方向の先端部は鋭角または鈍角となっていてもよい。
【００１７】
ストッパ１９Ａ〜１９Ｃは、第２搬送路上にあるシートが部材１１Ａ外に移動するのを阻止する部材である。ストッパ１９Ａ〜１９Ｃは、金属またはＰＯＭ等の部材により形成されている。ストッパ１９Ａは溝Ａの長手方向の延長線上に配設されており、ストッパ１９Ｂは溝Ｂの長手方向の延長線上に配設されている。また、ストッパ１９Ｃは溝Ｃの長手方向の延長線上に配設されている。ストッパ１９Ａ〜１９Ｃは、図示せぬ駆動手段により上下方向に移動し、部材１１Ａより上方に突出したり、部材１１Ａより下方に移動したりするようになっている。
【００１８】
［実施形態の動作］
次に本実施形態の動作について説明する。なお、以下の説明においては、図２（ｂ）に示したようにＬサイズ（横）に切断されたシートが切断部２０からシート積重部１０に搬送された場合の動作について説明し、次に、図２（ｃ）に示したようにパノラマサイズに切断されたシートが切断部２０からシート積重部１０に搬送された場合の動作について説明する。
【００１９】
［Ｌサイズ（横）のシートが搬送された時の動作］
例えば、デジタルカメラ等で生成された画像データと共に、光沢紙に形成する画像のサイズを示すサイズ情報がパーソナルコンピュータ等のコンピュータ装置から送信されると、画像形成部３０は、受信したサイズ情報が表すサイズで画像データが表す画像を用紙トレイから搬出された光沢紙に形成する。例えば、Ａ４サイズ（２１０ｍｍ×２９７ｍｍ）の光沢紙には、Ｌサイズ（８９ｍｍ×１２７ｍｍ）の画像を２行×２列で形成することが可能であるため、画像形成部３０は、Ａ４サイズの光沢紙に２行×２列でＬサイズの画像をレイアウトして画像形成を行う。
【００２０】
トナー像が形成された光沢紙は定着処理が行われた後、画像形成部３０の排出口３１から切断部２０へ搬送される。画像が形成された光沢紙が切断部２０へ搬送されると、画像形成部３０が備える制御部３２によって、スリッタ２１およびレシプロカッタ２２が制御され、Ａ４サイズの光沢紙に形成された４つの画像が、図２（ｂ）に示したように４枚のＬサイズの光沢紙に切断される。
【００２１】
次に制御部３２は、モータ１４−１〜１４−３を制御して移動ベルト１６Ａ〜１６Ｃを周回移動させ、移動部材１７Ａ〜１７Ｃを回転軸１４Ａ−１〜１４Ａ−３の位置まで移動させる。また、制御部３２は、図示せぬ駆動手段を制御して乗り上げ部材１８Ａ〜１８Ｃとストッパ１９Ａ〜１９Ｃを下方に移動させる。
【００２２】
次に制御部３２は、回転軸１３Ａ−１〜１３Ａ−３を下方に移動させて搬送ロール１２Ａを搬送ロール１２Ｂに押圧した後、図示せぬモータを制御して回転軸１３Ｂ−１〜１３Ｂ−３を回転させ、切断部２０から搬送されたシートＰ１とシートＰ２とを図６に示した位置まで搬送する。
【００２３】
図６に示した位置までシートＰ１とシートＰ２を搬送した後、まず、制御部３２は回転軸１３Ａ−１〜１３Ａ−３を上方に移動させて回転軸１３Ａ−２および回転軸１３Ａ−３をシートＰ１，Ｐ２から離す。次に制御部３２は、図示せぬ駆動手段を制御して乗り上げ部材１８Ａ〜１８Ｃとストッパ１９Ａ〜１９Ｃを上方に移動させる。
【００２４】
次に制御部３２は、モータ１４−２とモータ１４−３を制御して移動ベルト１６Ｂ，１６Ｃを周回移動させることにより、移動部材１７Ｂを溝Ｂの方向に移動させ、移動部材１７Ｃを溝Ｃの方向に移動させる。移動部材１７Ｂと移動部材１７Ｃが移動すると、移動部材１７Ｂ，１７Ｃは、シートＰ１は乗り上げ部材１８Ｂ，１８Ｃの方向へ移動させられる。この移動させられたシートＰ１の端部が乗り上げ部材１８Ｂ，１８Ｃに接触すると、シートＰ１は、各乗り上げ部材の傾斜部１８０に沿って移動し、図５，７に示したように乗り上げ部材１８Ｂ，１８Ｃを乗り越えてシートＰ２の上に被さる。シートＰ１が乗り上げ部材１８Ｂ，１８Ｃを乗り越えた後、移動部材１７Ｂ，１７Ｃを部材１１Ａに接触する位置まで移動させると、シートＰ１はシートＰ１の上に積み重ねられる。この後、制御部３２は、回転軸１３Ａ−２，１３Ａ−３を下方に移動させて搬送ロール１２Ａを搬送ロール１２Ｂに押圧した後、図示せぬモータを制御して回転軸１３Ｂ−２，１３Ｂ−３を回転させ、積み重ねられたシートＰ１，Ｐ２とを排紙トレイ４０に搬送する。
【００２５】
［パノラマサイズのシートが搬送された時の動作］
次にパノラマサイズのシートが切断部２０からシート積重部１０に搬送された場合の動作について説明する。デジタルカメラ等で生成された画像データと共に、光沢紙に形成する画像のサイズを示すサイズ情報がパーソナルコンピュータ等のコンピュータ装置から送信されると、画像形成部３０は、受信したサイズ情報が表すサイズで画像データが表す画像を用紙トレイから搬出された光沢紙に形成する。ここで画像形成部３０は、パノラマサイズの画像を２列にレイアウトして画像形成を行う。
【００２６】
トナー像が形成された光沢紙は定着処理が行われた後、画像形成部３０の排出口３１から切断部２０へ搬送される。画像が形成された光沢紙が切断部２０へ搬送されると、画像形成部３０が備える制御部３２によって、スリッタ２１およびレシプロカッタ２２が制御され、光沢紙に形成された２列の画像が、図２（Ｃ）に示したように２枚のパノラマサイズの光沢紙に切断される。
【００２７】
次に制御部３２は、モータ１４−１〜１４−３を制御して移動ベルト１６Ａ〜１６Ｃを周回移動させ、移動部材１７Ａ〜１７Ｃを回転軸１３Ａ−１〜１３Ａ−３の位置まで移動させる。また、制御部３２は、図示せぬ駆動手段を制御して乗り上げ部材１８Ａ〜１８Ｃとストッパ１９Ａ〜１９Ｃを下方に移動させる。
【００２８】
次に制御部３２は、回転軸１３Ａ−１〜１３Ａ−３を下方に移動させて搬送ロール１２Ａを搬送ロール１２Ｂに押圧した後、図示せぬモータを制御して回転軸１３Ｂ−１〜１３Ｂ−３を回転させ、切断部２０から搬送されたシートＰ１とシートＰ２とを図８に示した位置まで搬送する。
【００２９】
図８に示した位置までシートＰ１とシートＰ２を搬送した後、まず、制御部３２は回転軸１３Ａ−１〜１３Ａ−３を上方に移動させて回転軸１３Ａ−１〜回転軸１３Ａ−３をシートＰ１，Ｐ２から離す。次に制御部３２は、図示せぬ駆動手段を制御して乗り上げ部材１８Ａ〜１８Ｃとストッパ１９Ａ〜１９Ｃを上方に移動させる。
【００３０】
次に制御部３２は、モータ１４−１〜１４−３を制御して移動ベルト１６Ａ〜１６Ｃを周回移動させることにより、移動部材１７Ａを溝Ａの方向に移動させ、移動部材１７Ｂを溝Ｂの方向に移動させると共に、移動部材１７Ｃを溝Ｃの方向に移動させる。
移動部材１７Ａ〜１７Ｃが移動すると、移動部材１７Ａ〜１７Ｃは、シートＰ１を乗り上げ部材１８Ａ〜１８Ｃの方向へ移動させる。この移動させられたシートＰ１の端部が乗り上げ部材１８Ａ〜１８Ｃに接触すると、シートＰ２は、各乗り上げ部材の傾斜部１８０に沿って移動し、乗り上げ部材１８Ａ〜１８Ｃを乗り越えてシートＰ２の上に被さる。シートＰ１が乗り上げ部材１８Ａ〜１８Ｃを乗り越えた後、移動部材１７Ａ〜１７Ｃを部材１１Ａに接触する位置まで移動させると、シートＰ１はシートＰ２の上に積み重ねられる。この後、制御部３２は、回転軸１３Ａ−１〜１３Ａ−３を下方に移動させて搬送ロール１２Ａを搬送ロール１２Ｂに押圧した後、図示せぬモータを制御して回転軸１３Ｂ−１〜１３Ｂ−３を回転させ、積み重ねられたシートＰ１，Ｐ２とを排紙トレイ４０に搬送する。
【００３１】
以上説明したように本実施形態によれば、装置を大型化することなく、様々なサイズのシートを積み重ねて搬送することが可能となる。
【００３２】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００３３】
シートを切断部２０にて切断せず、大判の用紙をそのまま搬送する場合には、乗り上げ部材１８Ａ〜１８Ｃとストッパ１９Ａ〜１９Ｃとを、下方に退避させるようにしてもよい。
【００３４】
図１０は、本発明の変形例に係るシート積重部１０を、図３のIII−III線に沿って矢視した断面図である。図１０に示したように、部材１１Ｂ〜部材１１Ｃを傾斜させ、搬送方向の上流側にある部材の下流側端部より、下流側にある部材の上流側端部が下方に位置するようにしてもよい。
【００３５】
上述した実施形態においては、移動部材１７Ａ〜１７Ｃの移動に伴って、乗り上げ部材１８を上下に移動させるようにしてもよい。例えば、シートが乗り上げ部材１８に達したら乗り上げ部材１８を上昇させ、シートの中央部が乗り上げ部材１８を乗り越えたら、乗り上げ部材１８を徐々に下降させるようにしてもよい。
【図面の簡単な説明】
【００３６】
【図１】本発明の実施形態に係る画像形成装置の概略図である。
【図２】切断部にて切断されたシートを例示した図である。
【図３】シート積重部を上方から見た概略図である。
【図４】図３のＩ−Ｉ線に沿って矢視したシート積重部の断面図である。
【図５】図３のII−II線に沿って矢視したシート積重部の断面図である。
【図６】切断部２０から搬送されたシートを例示した図である。
【図７】第１搬送路にあるシートを第２搬送路へ移動させている時の図である。
【図８】切断部２０から搬送されたシートを例示した図である。
【図９】第１搬送路にあるシートを第２搬送路へ移動させている時の図である。
【図１０】図３のIII−III線に沿って矢視したシート積重部の変形例の断面図である。
【符号の説明】
【００３７】
１１Ａ〜１１Ｄ・・・部材、１２Ａ，１２Ｂ・・・搬送ロール、１３Ａ−１〜１３Ａ−３，１３Ｂ−１〜１３Ｂ−３・・・回転軸、１４−１〜１４−３・・・モータ、１４Ａ−１〜１４Ａ−３，１４Ｂ−１〜１４Ｂ−３・・・回転軸、１６Ａ〜１６Ｃ・・・移動ベルト、１７Ａ〜１７Ｃ・・・移動部材、１８Ａ〜１８Ｃ・・・乗り上げ部材、１９Ａ〜１９Ｃ・・・ストッパ。
【図１】
2007070031.tif 000003
【図２】
2007070031.tif 000004
【図３】
2007070031.tif 000005
【図４】
2007070031.tif 000006
【図５】
2007070031.tif 000007
【図６】
2007070031.tif 000008
【図７】
2007070031.tif 000009
【図８】
2007070031.tif 000010
【図９】
2007070031.tif 000011
【図１０】
2007070031.tif 000012